(57)【要約】【課題】安価な構成で読取光との干渉を回避することができる原稿照明装置、走査光学ユニット、画像読取装置および画像形成装置を提供すること。【解決手段】ＬＥＤユニットから照射された光を拡散する光拡散シート８１と、光拡散シート８１の一端が固定されるカバー部材４３と、光拡散シート８１の他端を支持する遮蔽部材４２とを備えた原稿照明部において、光拡散シート８１は、原稿面に対してＬＥＤユニットの方向に所定角度θで折り曲げられた屈曲部８１ｂと、屈曲部８１ｂから他端までの間に形成された拡散部８１ｃと、拡散部８１ｃの主走査方向の両方の端部に形成され、屈曲部８１ｂの弾性力に応じた荷重が作用する突起部８１ｄとを有し、遮蔽部材４２は、突起部８１ｄを介して所定角度θが大きくなる方向にかかる荷重を受ける溝部４２ｄを有する。【選択図】図５
2014207601.tif 000002
【特許請求の範囲】
【請求項１】
光を照射する光源と、
前記光源から原稿の照射領域までの光路上に配置され、前記光源から照射された光を拡散する光拡散部材と、
前記光拡散部材の一端が固定される第１の支持部材と、
前記光源を挟んで前記第１の支持部材に対向するよう設けられ前記光拡散部材の他端を支持する第２の支持部材と、を備え、
前記光拡散部材は、原稿面に対して前記光源の方向に所定角度で折り曲げられた屈曲部と、前記屈曲部から前記他端までの間に形成された拡散部と、前記拡散部の主走査方向の少なくともいずれか一方の端部に形成され、前記屈曲部の弾性力に応じた荷重が作用する荷重作用部とを有し、
前記第２の支持部材は、前記荷重作用部を介して前記所定角度が大きくなる方向にかかる前記荷重を受ける荷重受け部を有することを特徴とする原稿照明装置。
【請求項２】
前記荷重作用部および前記荷重受け部は、前記光源から照射された光を遮ることのない位置に配置されることを特徴とする請求項１に記載の原稿照明装置。
【請求項３】
前記荷重作用部は、前記拡散部の主走査方向の少なくともいずれか一方の端部から前記主走査方向の外側に向けて突出した突起部で構成され、
前記荷重受け部は、前記突起部が嵌まる溝部で構成されていることを特徴とする請求項１または２に記載の原稿照明装置。
【請求項４】
前記荷重作用部は、前記拡散部の主走査方向の両方の端部にそれぞれ形成されており、
前記荷重受け部は、前記荷重作用部に対応して前記拡散部の主走査方向の両方の端部側にそれぞれ設けられることを特徴とする請求項１〜３のいずれか１項に記載の原稿照明装置。
【請求項５】
前記所定角度は、４５°以上の角度であることを特徴とする請求項１〜４のいずれか１項に記載の原稿照明装置。
【請求項６】
前記第１の支持部材および前記第２の支持部材には、前記光源から照射された光を原稿の照射領域に導く導光部が設けられていることを特徴とする請求項１〜５のいずれか１項に記載の原稿照明装置。
【請求項７】
請求項１ないし請求項６のいずれか１項に記載の原稿照明装置を備えた走査光学ユニットであって、
原稿から反射された光を読み取る読取手段と前記原稿照明装置とを収納する筺体を備えていることを特徴とする走査光学ユニット。
【請求項８】
請求項７に記載の走査光学ユニットを備えた画像読取装置であって、
前記走査光学ユニットを副走査方向に移動させる駆動手段を備えたことを特徴とする画像読取装置。
【請求項９】
請求項８に記載の画像読取装置を備えた画像形成装置であって、
前記読取手段によって読み取った画像を記録媒体上に形成する画像形成手段を有することを特徴とする画像形成装置。
【発明の詳細な説明】
【技術分野】
【０００１】
本発明は、原稿照明装置、走査光学ユニット、画像読取装置および画像形成装置に関し、例えば、原稿に光を照射する原稿照明装置、この原稿照明装置を備えた走査光学ユニット、この走査光学ユニットを備えた複写機、ファクシミリ装置、イメージスキャナ等に使用される画像読取装置およびこの画像読取装置を備えた画像形成装置に関する。
【背景技術】
【０００２】
一般に、ファクシミリ装置、複写機および複合機等に設けられたスキャナ装置等の画像読取装置では、光源から原稿に光を照射し、原稿からの反射光を複数のミラーで折り返してＣＣＤイメージセンサ等の撮像素子に入射させるようにしている。
【０００３】
近年、こうした画像読取装置では、光源の立ち上がりのスピード、省エネルギー化、長寿命化等の要望があり、光源として点光源である発光ダイオード（ＬＥＤ）を用いた原稿照明装置が採用されている。この種の原稿照明装置では、均一な照度分布を得ることを目的として発光ダイオードからの光を導く導光部材を採用する場合がある。
【０００４】
ところが、光源としてＬＥＤ等の点光源を使用する場合には、複数の点光源を主走査方向に直線状に配列する構成をとるため、各点光源から出射された光を原稿面などの読取面に直接照射すると、主走査方向において照度リップル（照度分布のむら）が生じ、読み取った画像データに応じて画像形成した場合に照度リップルが原因となる画像濃度むらが発生する。
【０００５】
近年では、このような照射リップルが生じるのを防止するために、反射板に加えて、ＬＥＤから照射領域までの光路上に光拡散部材（光拡散シート）を配置し、ＬＥＤから出射された光を光拡散部材によって拡散することにより、照度リップルを抑制して照度分布を均一にするようにした原稿照明装置が提案されている（例えば、特許文献１参照）。
【０００６】
従来、こうした原稿照明装置の構成を採用しつつ、小型化を図った原稿照明装置も知られており、その詳細な構成は図１３に示す通りである。
【０００７】
図１３に示すように、従来の原稿照明装置は、反射板を支持する上支持部材１０１および下支持部材１０２と、これら両支持部材間に配置される光源１０３と、光源１０３の光の出射方向の前方に配置された光拡散部材１０４とを備えている。
【０００８】
光拡散部材１０４は、一端が上支持部材１０１に固定されるとともに、他端（先端）が下支持部材１０２に設けられた穴１０２ａに嵌められることによって、原稿照明装置に対して位置決め固定されている。
【０００９】
ここで、光源１０３から出射される光が原稿照明装置の上側外部に漏れることを防止するために、上支持部材１０１の先端部１０１ａは可能な限り読取光軸（読取光）Ｌに近い位置まで延長されている。このため、上支持部材１０１の先端部１０１ａ付近で下方に屈曲した光拡散部材１０４の原稿面に対する傾斜角度θは、例えば４５℃以上の比較的大きな角度となっている。
【発明の概要】
【発明が解決しようとする課題】
【００１０】
一般的に、上述のような光拡散部材１０４は、安価なポリカーボネート樹脂（ＰＣ）等のモールドのシート材で構成されており、拡散面の平面度を維持するため板厚の厚いものをプレス加工することにより屈曲形状に加工される。
【００１１】
しかしながら、プレス加工を施した光拡散部材１０４は、特に傾斜角度θを決める屈曲部分の加工精度が低下する場合がある。この場合、上述の傾斜角度θが例えば所望の角度よりも大きくなってしまうことがある。
【００１２】
このため、従来の原稿照明装置にあっては、屈曲部分の傾斜角度θが所望の角度となっていない光拡散部材１０４を用いるため、図１４に示すように、光拡散部材１０４を上支持部材１０１および下支持部材１０２に取り付けた際に、光拡散部材１０４の屈曲部分の弾性力によって下支持部材１０２に対して矢印方向の荷重がかかってしまう。これにより、下支持部材１０２が図中、点線で示す位置まで変位してしまう。
【００１３】
この結果、従来の原稿照明装置では、変位した下支持部材１０２（点線で図示）が図１３中、Ａ部分において読取光Ｌと干渉してしまうという問題があった。
【００１４】
この点、下支持部材１０２を例えばガラス入りモールド部材等の高価な高剛性の材料で構成すれば、下支持部材１０２の変位を抑制して上述のような干渉を回避することができるが、この場合、コストが増大してしまう。
【００１５】
本発明は、上述のような問題を解決するためになされたもので、安価な構成で読取光との干渉を回避することができる原稿照明装置、走査光学ユニット、画像読取装置および画像形成装置を提供することを目的とする。
【課題を解決するための手段】
【００１６】
本発明に係る原稿照明装置は、上記目的を達成するため、光を照射する光源と、前記光源から原稿の照射領域までの光路上に配置され、前記光源から照射された光を拡散する光拡散部材と、前記光拡散部材の一端が固定される第１の支持部材と、前記光源を挟んで前記第１の支持部材に対向するよう設けられ前記光拡散部材の他端を支持する第２の支持部材と、を備え、前記光拡散部材は、原稿面に対して前記光源の方向に所定角度で折り曲げられた屈曲部と、前記屈曲部から前記他端までの間に形成された拡散部と、前記拡散部の主走査方向の少なくともいずれか一方の端部に形成され、前記屈曲部の弾性力に応じた荷重が作用する荷重作用部とを有し、前記第２の支持部材は、前記荷重作用部を介して前記所定角度が大きくなる方向にかかる前記荷重を受ける荷重受け部を有する。
【発明の効果】
【００１７】
本発明によれば、安価な構成で読取光との干渉を回避することができる原稿照明装置、走査光学ユニット、画像読取装置および画像形成装置を提供することができる。
【図面の簡単な説明】
【００１８】
【図１】本発明の実施の形態に係るカラー複写機の概略構成図である。
【図２】本発明の実施の形態に係る画像読取装置の概略斜視図である。
【図３】本発明の実施の形態に係る一体型走査光学ユニットの断面図である。
【図４】本発明の実施の形態に係るＬＥＤユニットの斜視図である。
【図５】本発明の実施の形態に係る原稿照明部の分解斜視図である。
【図６】本発明の実施の形態に係るカバー部材の一部拡大斜視図である。
【図７】本発明の実施の形態に係る遮蔽部材の一部拡大斜視図である。
【図８】本発明の実施の形態に係る原稿照明部の斜視図である。
【図９】図８におけるＣ−Ｃ断面図である。
【図１０】本発明の実施の形態に係る突起部の変形例を示す斜視図である。
【図１１】図１０に示した突起部に対応する溝部を示す斜視図である。
【図１２】本発明の実施の形態に係る溝部の変形例を示す斜視図である。
【図１３】従来の原稿照明装置の断面図である。
【図１４】従来の原稿照明装置の一部拡大断面図である。
【発明を実施するための形態】
【００１９】
以下、本発明の実施の形態について、図面を参照して説明する。
【００２０】
図１〜図９は、本発明に係る原稿照明装置、走査光学ユニット、画像読取装置および画像形成装置の一実施の形態を示す図である。なお、画像読取装置は、イメージスキャナに適用してもよく、画像形成装置としては、イメージスキャナを有する複写機やファクシミリ装置、複写機能とファクシミリ機能等を備えた複合機等に適用することができる。
【００２１】
まず、構成を説明する。
【００２２】
図１において、画像形成装置としてのカラー複写機１は、自動原稿搬送部（以下、ＡＤＦともいう）２と、給紙装置３と、画像読取装置４と、画像形成部５とを含んで構成されている。
【００２３】
ＡＤＦ２は、原稿トレイ１１と、原稿トレイ１１に載置された原稿束から原稿を１枚ずつ分離してコンタクトガラス７に向かって搬送する各種ローラ等からなる給紙部１３とを備えている。
【００２４】
ＡＤＦ２は、給紙部１３によって分離された原稿をコンタクトガラス７上に搬送する搬送ベルト８を備えている。また、ＡＤＦ２は、各種ローラ等からなる排紙部９を備えている。排紙部９は、コンタクトガラス７上で画像読取装置４によって読み取られ、搬送ベルト８によって搬送された原稿を、原稿トレイ１１の下方の排紙トレイ１２に排紙するようになっている。また、ＡＤＦ２は、画像読取装置４に対して図示しないヒンジ等の開閉機構を介して開閉自在に取り付けられている。
【００２５】
給紙装置３は、用紙サイズの異なる記録媒体としての記録紙を収納する給紙カセット２１、２２と、給紙カセット２１、２２に収納された記録紙を画像形成部５の画像形成位置まで搬送する各種ローラからなる給紙手段２３とを備えている。
【００２６】
画像読取装置４は、図２に示すように、画像読取装置４の筐体４ａ内に一体型走査光学ユニット（走査光学ユニット）４０を備えている。この一体型走査光学ユニット４０は、後述するＬＥＤユニット４４（図３参照）から主走査方向（図２の矢印Ａ方向）に光を照射するとともに、画像読取装置４に備えられる図示しない駆動手段によって全照射領域Ｗ内において副走査方向（図１、図２の矢印Ｂ方向）に走査（移動）されるようになっている。これにより、一体型走査光学ユニット４０は、原稿の２次元カラー画像を読み取るようになっている。また、コンタクトガラス７は、画像読取装置４の筐体４ａの上部に設けられており、筐体４ａの上面を構成している。
【００２７】
駆動手段は、一体型走査光学ユニット４０に固定されたワイヤ、ワイヤに橋架される複数の従動プーリおよび駆動プーリと、駆動プーリを回転させるモータ等によって構成されるものであり、公知であるため、図示省略する。
【００２８】
画像形成部５は、画像形成手段を構成するものであり、露光装置３１と、複数の感光体ドラム３２と、各感光体ドラム３２の周囲に設置された異なる色（シアン（Ｃ）、イエロー（Ｙ）、マゼンタ（Ｍ）、ブラック（Ｂｋ））のトナーを有する現像装置３３と、転写ベルト３４と、定着装置３５とを備えている。
【００２９】
画像形成部５は、画像読取装置４によって読み取られて色別分解された画情報に基づいて複数の感光体ドラム３２に色分けして画像を形成し、給紙装置３から供給された記録紙に感光体ドラム３２上のトナーを重ね合わせて転写した後、定着装置３５により記録紙に転写されたトナー画像のトナーを溶融して、記録紙にカラー画像を定着するようになっている。
【００３０】
また、カラー複写機１は、図示しない画像送受信装置によって読み取った画像を相手先の装置に送信する機能も備えている。
【００３１】
次に、図３〜図９に基づいて一体型走査光学ユニット４０の構成を説明する。
【００３２】
図３に示すように、一体型走査光学ユニット４０は、筐体４１と、筺体４１に収納された原稿照明装置としての原稿照明部５０と、原稿Ｐから反射された光を読み取る読取手段としての画像読取部５１とを含んで構成されている。
【００３３】
原稿照明部５０は、光を照射する光源としてのＬＥＤユニット４４と、筐体４１に着脱自在に設けられた遮蔽部材４２と、遮蔽部材４２に着脱自在に設けられたカバー部材４３とを備えている。これら筐体４１、遮蔽部材４２およびカバー部材４３は、それぞれ樹脂製である。
【００３４】
遮蔽部材４２は、ＬＥＤユニット４４を挟んでカバー部材４３に対向するよう設けられ、ＬＥＤパッケージ４６から照射された光を原稿Ｐの照射領域Ｗ１に導く導光部としての反射部４８、４９を支持するようになっている。本実施の形態における遮蔽部材４２は、本発明に係る第２の支持部材を構成する。
【００３５】
カバー部材４３は、遮蔽部材４２との間に原稿Ｐの照射領域Ｗ１にＬＥＤパッケージ４６から照射を行うための開口を有し、ＬＥＤパッケージ４６から照射された光を照射領域Ｗ１に導く導光部としての反射部４７を支持するようになっている。本実施の形態におけるカバー部材４３は、本発明に係る第１の支持部材を構成する。
【００３６】
また、遮蔽部材４２とカバー部材４３には、ＬＥＤユニット４４が取り付けられている。このＬＥＤユニット４４は、図４に示すように、ＬＥＤ基板４５上に発光素子である複数（本実施の形態では７個）のＬＥＤパッケージ４６が主走査方向に略直線状に配置されたものから構成されている。
【００３７】
本実施の形態のＬＥＤパッケージ４６は、いわゆるトップビュータイプと称されるものであり、光の出射面がＬＥＤ基板４５の実装面と直交する方向になっている。
【００３８】
このトップビュータイプのＬＥＤパッケージ４６は、発光強度分布に指向性を有し、出射光の強度分布は、出射角に対して発光面の直交方向を基準とするランバートの余弦則に倣う強度分布（ランバート分布と呼ぶ）を有している。なお、図３は、一体型走査光学ユニット４０の断面図であり、１つのＬＥＤパッケージ４６が示されている。
【００３９】
図３において、反射部４７は、カバー部材４３の下面に設けられており、反射部４８、４９は、カバー部材４３に対向する遮蔽部材４２の上面に設けられている。反射部４７〜４９は、遮蔽部材４２の下面およびカバー部材４３の上面の形状に沿った反射面形状に成型された母材の表面にアルミ箔等の反射シートを接着させるようにして構成されている。
【００４０】
反射部４７〜４９は、反射面に成型された母材の表面にアルミを蒸着することにより構成してもよいし、反射面に反射材を練り込んだ塗装を施したものから構成したり、反射材料によるメッキを施すことにより構成してもよい。
【００４１】
なお、本実施の形態では、導光部として、上述した各反射部を用いた例について説明したが、これに限らず、例えばアクリル等の透過率の高い樹脂等により形成された導光体を導光部として用いてもよい。ここで、反射部４７、４８は、後述する光拡散シート８１を挟んでＬＥＤユニット側に設けられており、反射部４９は、光拡散シート８１を挟んで照射領域側に設けられている。
【００４２】
また、原稿照明部５０は、ＬＥＤユニット４４の各ＬＥＤパッケージ４６から照射された光を拡散するシート状部材からなる光拡散シート８１を備えている。この光拡散シート８１は、ＬＥＤユニット４４から原稿Ｐの照射領域Ｗ１までの光路上に配置される。本実施の形態における光拡散シート８１は、本発明に係る光拡散部材を構成する。
【００４３】
光拡散シート８１は、その一端が締結部材としてのネジ７３によってカバー部材４３の上面に固定されている。なお、光拡散シート８１は、ネジに限らず、例えば両面テープや接着剤等を用いてカバー部材４３の上面に固定するようにしてもよい。
【００４４】
図５に示すように、光拡散シート８１の他端には、主走査方向（図中、矢印Ｂ方向）に間隔を空けて３つの凸部８１ａが設けられている。また、遮蔽部材４２には、光拡散シート８１の凸部８１ａが嵌まる穴４２ａが形成されている。したがって、光拡散シート８１は、その他端に設けられた各凸部８１ａが各穴４２ａに嵌まることによって、遮蔽部材４２に支持されるようになっている。
【００４５】
また、図３に示すように、光拡散シート８１は、コンタクトガラス７上の原稿Ｐの原稿面に対してＬＥＤユニット４４の方向に所定角度θで折り曲げられた屈曲部８１ｂと、この屈曲部８１ｂから他端までの間に形成された拡散部８１ｃとを含んで構成されている。
【００４６】
光拡散シート８１は、上述の拡散部８１ｃによって、ＬＥＤユニット４４および反射部４７、４８が収納された第１の空間５７と、反射部４９が収納された第２の空間８２とを遮断するようになっている。これにより、主走査方向に略直線状に配置された各ＬＥＤパッケージ４６間の照度リップルを拡散部８１ｃの拡散作用によって防止することができる。
【００４７】
なお、光拡散シート８１は、光を拡散する作用があるものであれば、どのようなタイプでも構わない。例えば、第１の空間５７側のシート面に拡散作用を有するように構成したものや、第２の空間８２側のシート面に拡散作用を有するように構成したもの、あるいは、光拡散シート８１の内部で拡散作用を有する構成にしたものであってもよい。
【００４８】
また、ＬＥＤユニット４４は、遮蔽部材４２およびカバー部材４３の間で、ＬＥＤパッケージ４６からの出射光の中心光軸が略水平に向くような方向にＬＥＤ基板４５が配置されている。ＬＥＤ基板４５は、カバー部材４３の下面に設けられた位置決め用の溝と、遮蔽部材４２の上面に設けられた位置決め用の溝とに、その上下端部が嵌まることにより遮蔽部材４２およびカバー部材４３に挟持され、ＬＥＤパッケージ４６の位置が一義的に決定されている。また、ＬＥＤユニット４４は、遮蔽部材４２およびカバー部材４３に対して着脱自在となっている。
【００４９】
ＬＥＤパッケージ４６から照射された光は、ある角度で広がりながら略水平方向に進行する。そして、反射部４８によって反射させられたＬＥＤパッケージ４６の光は、光拡散シート８１を通してさらにある角度で広がりながら図３において原稿Ｐの照射領域Ｗ１に対して左側から照射される。また、反射部４７で反射させられたＬＥＤパッケージ４６の光は、反射部４９でさらに反射し、照射領域Ｗ１に対して図３の右側から照射される。さらに、直接ＬＥＤパッケージ４６から反射部４９に到達して反射する光も照射領域Ｗ１に対して図３の右側から照射される。
【００５０】
照射領域Ｗ１は、コンタクトガラス７上のある一定範囲である。また、図３において、照射領域Ｗ１に対して右側を走査方向の前側とし、照射領域Ｗ１に対して左側を走査方向の後側とすると、本実施の形態では、上述した反射部４７〜４９から照明作用により、照射領域Ｗ１に対して副走査方向の前後方向から光が略均等に照射されることになり、立体物の原稿や切り貼りされた原稿等も影が出ないようにすることができる。
【００５１】
したがって、カバー部材４３および遮蔽部材４２の形状は、ＬＥＤパッケージ４６から照射される光を照射領域Ｗ１に対して副走査方向に一定の照度分布で導くように設計された折り曲げ形状となっている。
【００５２】
また、遮蔽部材４２は、筐体４１に着脱自在に設けられており、筐体４１内において、第１の空間５７および第２の空間８２と、画像読取部５１が設けられた第３の空間５８とを遮断するようになっている。
【００５３】
遮蔽部材４２は、原稿照明部５０の下方を覆うとともに、筐体４１との間で隙間が生じないように筐体４１に取り付けられている。遮蔽部材４２は、第３の空間５８に原稿Ｐからの反射光以外の照明光が進入しないように第１の空間５７および第２の空間８２から遮断する（隔離する）機能を有している。
【００５４】
また、遮蔽部材４２には、主走査方向に長いスリット５９が形成されている。スリット５９は、反射部４８および反射部４９の間に位置するようにして設けられており、原稿Ｐからの反射光（原稿像の光）を第２の空間８２から第３の空間５８に導くようになっている。
【００５５】
一方、図３において、第３の空間５８には、画像読取部５１が設けられている。画像読取部５１は、反射ミラー６０ａ〜６０ｅと、結像レンズ６１と、撮像素子としてのＣＣＤ（Ｃｈａｒｇｅ Ｃｏｕｐｌｅｄ Ｄｅｖｉｃｅ）６３とを備えている。
【００５６】
反射ミラー６０ａ〜６０ｅは、ＬＥＤユニット４４から反射部４７〜４９を介して原稿Ｐの照射領域Ｗ１が照射されたときに、照射領域Ｗ１における原稿Ｐのライン上（主走査方向）の反射光、すなわち読取光Ｌがスリット５９を介して第３の空間５８に導かれると、反射ミラー６０ａ、６０ｂ、６０ｃ、６０ｄ、６０ｅの順に反射するようになっている。したがって、反射ミラー６０ａ〜６０ｅは、読取光Ｌを結像レンズ６１に導くように筐体４１の所定個所に取り付けられている。
【００５７】
結像レンズ６１は、筐体４１の底部に取り付けられており、反射ミラー６０ｅによって反射された光を結像させるようになっている。ＣＣＤ６３は、結像レンズ６１の結像位置に配置されるように筐体４１の副走査方向一側面に取り付けられており、原稿Ｐの画像を読み取るようになっている。本実施の形態のＣＣＤ６３は、Ｒ（赤）、Ｇ（緑）、Ｂ（青）の各色毎に設けられており、カラー画像の読み取りを行うことができる。
【００５８】
このＣＣＤ６３は、ＳＢＵ（スキャナボードユニット）６４上に配置されており、このＳＢＵ６４は、筐体４１の副走査方向一側面に取り付けられている。このＳＢＵ６４にはＣＣＤ６３の他にＩＣチップやチップコンデンサ等の電子部品が実装されており、ＣＣＤ６３によって読み取られた原稿Ｐの画像を処理し、露光装置３１（図１参照）に送信するようになっている。
【００５９】
ここで、上述したような光拡散シート８１は、安価なポリカーボネート樹脂（ＰＣ）等のモールドのシート材で構成されており、拡散面の平面度を維持するため板厚の厚いものをプレス加工することにより屈曲部８１ｂを設けた屈曲形状に加工される。光拡散シート８１は、そのプレス加工工程において上述した所定角度θが予め定められた基準の角度θｔｈとなるよう加工されることが望ましい。
【００６０】
しかし、実際には、屈曲部８１ｂの加工精度が低下する場合があり、この場合には所定角度θが基準の角度θｔｈよりも大きくなるような加工が施されることがある。ここで、上記所定角度θおよび基準の角度θｔｈは、少なくとも４５°以上の角度とされる。
【００６１】
加工精度が低下した光拡散シート８１を遮蔽部材４２およびカバー部材４３に取り付けると、屈曲部８１ｂの弾性力によって遮蔽部材４２に対して下方に押し下げるような荷重がかかってしまう。こうした荷重が遮蔽部材４２にかかると、遮蔽部材４２の主走査方向の両端部と比べて特に剛性の低い主走査方向の中央部分が下方に変位するおそれがある。こうした遮蔽部材４２の変位が生ずると、遮蔽部材４２が読取光Ｌと干渉するおそれがあり好ましくない。
【００６２】
そこで、本実施の形態では、こうした不具合を防止するために、光拡散シート８１および遮蔽部材４２を以下のように構成した。
【００６３】
具体的には、図６に示すように、本実施の形態に係る光拡散シート８１は、拡散部８１ｃの主走査方向の両方の端部に、主走査方向の外側に向けて突出した突起部８１ｄを有している。
【００６４】
この突起部８１ｄは、主走査方向に直交する方向、すなわち屈曲部８１ｂから凸部８１ａに向かう方向に所定の長さに亘って形成されている。突起部８１ｄは、光拡散シート８１が遮蔽部材４２およびカバー部材４３に取り付けられた際に、屈曲部８１ｂの弾性力に応じた荷重が作用するようになっている。
【００６５】
ここで、屈曲部８１ｂの弾性力に応じた荷重が作用する方向は、屈曲部８１ｂの所定角度θ、すなわち拡散部８１ｃのＬＥＤユニット４４側と反対側の面と、原稿Ｐの原稿面（コンタクトガラス７側の面）とのなす角度θが大きくなる方向である。
【００６６】
なお、本実施の形態では、説明の便宜上、光拡散シート８１の主走査方向の一方の端部に設けられた突起部８１ｄについてのみ図６に図示したが、他方の端部も同様に突起部８１ｄが設けられている。本実施の形態における突起部８１ｄは、本発明に係る荷重作用部を構成する。
【００６７】
一方、図７に示すように、本実施の形態に係る遮蔽部材４２は、上述の穴４２ａおよびスリット５９が形成された底部４２ｂに対して主走査方向の両方の端部で上方に起立するよう設けられた側壁部４２ｃを有している。側壁部４２ｃは、底部４２ｂと一体形成されている。
【００６８】
また、側壁部４２ｃには、前述の光拡散シート８１の突起部８１ｄが嵌まる溝部４２ｄを有している。この溝部４２ｄは、光拡散シート８１が遮蔽部材４２およびカバー部材４３に取り付けられた際に、突起部８１ｄを介して前述の所定角度θが大きくなる方向にかかる荷重を受けるようになっている。
【００６９】
より詳細には、溝部４２ｄは、屈曲部８１ｂの基準の角度θｔｈに対応した角度の溝で構成されている。したがって、光拡散シート８１の他端が遮蔽部材４２に取り付けられた際には、屈曲部８１ｂの所定角度θが基準の角度θｔｈに維持されるようになっている。
【００７０】
このような構成により、光拡散シート８１が遮蔽部材４２およびカバー部材４３に取り付けられた際（図８参照）には、図９に示すように、溝部４２ｄに対応した箇所Ｈにおいて突起部８１ｄを介して前述の所定角度θが大きくなる方向（図９中、矢印で示す方向）にかかる荷重を受けることができる。
【００７１】
なお、本実施の形態では、説明の便宜上、遮蔽部材４２の主走査方向の一方の端部に設けられた溝部４２ｄについてのみ図７に図示したが、他方の端部も同様に溝部４２ｄが設けられている。本実施の形態における溝部４２ｄは、本発明に係る荷重受け部を構成する。
【００７２】
また、これら光拡散シート８１の突起部８１ｄおよび遮蔽部材４２の溝部４２ｄは、それぞれ各ＬＥＤパッケージ４６から照射された光を遮ることのない位置に配置されるのが好ましい。すなわち、突起部８１ｄにあっては、上述の通り拡散部８１ｃの主走査方向の両方の端部に設けられ、溝部４２ｄにあっては、上述の通り遮蔽部材４２の各側壁部４２ｃに設けられる。
【００７３】
以上のように、本実施の形態に係る原稿照明部５０は、光拡散シート８１の主走査方向の両方の端部に突起部８１ｄを設けるとともに、遮蔽部材４２の主走査方向の両方の端部に形成された側壁部４２ｃに突起部８１ｄが嵌まる溝部４２ｄを設けた構成とした。このため、光拡散シート８１を遮蔽部材４２およびカバー部材４３に取り付けた際には、突起部８１ｄが溝部４２ｄに嵌まり、これにより光拡散シート８１の屈曲部８１ｂの弾性力に応じた荷重を遮蔽部材４２の溝部４２ｄで受けることができる。これにより、光拡散シート８１から受ける荷重により遮蔽部材４２の特に主走査方向の中央部分が下方に変位することを防止することができる。
【００７４】
また、本実施の形態に係る原稿照明部５０は、遮蔽部材４２の材料を例えばガラス入りモールド部材等の高価な高剛性の材料で構成することなく、遮蔽部材４２の変位を防止することができるので、材料変更等によるコスト増大を防止することができる。
【００７５】
この結果、本実施の形態に係る原稿照明部５０は、安価な構成で遮蔽部材４２が読取光Ｌと干渉することを防止することができる。
【００７６】
なお、本実施の形態では、突起部８１ｄを光拡散シート８１の主走査方向の両方の端部に設けた例について説明したが、突起部８１ｄは光拡散シート８１の主走査方向の少なくともいずれか一方の端部に形成されていればよく、例えば光拡散シート８１の主走査方向の一方の端部にのみ突起部８１ｄを設けた構成としてもよい。この場合、遮蔽部材４２においても、突起部８１ｄに対応した端部にのみ溝部４２ｄを設ける。このような構成にあっても、本実施の形態と同様の効果を得ることができる。
【００７７】
また、本実施の形態では、光拡散シート８１の突起部８１ｄを屈曲部８１ｂから凸部８１ａに向かう方向に所定の長さで形成したが（図６参照）、これに限らず、例えば突起部８１ｄを図１０に示すように、円柱状の突起部１８１ｄで構成してもよい。なお、突起部１８１ｄは、円柱状に限らず、立方形状等、種々の形状を採用できる。
【００７８】
この場合、図１１に示すように、遮蔽部材４２の溝部４２ｄを突起部１８１ｄが嵌まる円形の溝部１４２ｄとするのが好ましい。これにより、光拡散シート８１が遮蔽部材４２およびカバー部材４３に取り付けられた際には、突起部１８１ｄが溝部１４２ｄに嵌まることで、本実施の形態と同様、遮蔽部材４２の変位が防止される。
【００７９】
また、本実施の形態では、遮蔽部材４２の変位を防止する構成として突起部８１ｄおよび溝部４２ｄを採用したが、これに限らず、同変位を防止する構成として図１２に示すような凸部２４２ｄを遮蔽部材４２の側壁部４２ｃに形成してもよい。凸部２４２ｄは、側壁部４２ｃの上端部から底部４２ｂに亘って所定の長さで形成される。
【００８０】
この場合、光拡散シート８１の突起部８１ｄは、設けないこととする（図示省略）。これにより、光拡散シート８１が遮蔽部材４２およびカバー部材４３に取り付けられた際には、光拡散シート８１の拡散部８１ｃの主走査方向の両方の端部が直接、凸部２４２ｄに接することにより、本実施の形態と同様、遮蔽部材４２の変位が防止される。なお、この例においては、凸部２４２ｄが荷重受け部として機能し、かつ拡散部８１ｃの主走査方向の両方の端部が荷重作用部として機能する。
【符号の説明】
【００８１】
１  カラー複写機（画像形成装置）
４  画像読取装置
５  画像形成部（画像形成手段）
７  コンタクトガラス
４０  一体型走査光学ユニット（走査光学ユニット）
４１  筐体
４２  遮蔽部材（第２の支持部材）
４２ａ  穴
４２ｃ  側壁部
４２ｄ、１４２ｄ  溝部（荷重受け部）
４３  カバー部材（第１の支持部材）
４４  ＬＥＤユニット（光源）
４７、４８、４９  反射部（導光部）
５０  原稿照明部（原稿照明装置）
５１  画像読取部（読取手段）
８１  光拡散シート（光拡散部材）
８１ａ  凸部
８１ｂ  屈曲部
８１ｃ  拡散部
８１ｄ、１８１ｄ  突起部（荷重作用部）
２４２ｄ  凸部
【先行技術文献】
【特許文献】
【００８２】
【特許文献１】特開２０１０−１９１１８４号公報
【図１】
2014207601.tif 000003
【図２】
2014207601.tif 000004
【図３】
2014207601.tif 000005
【図４】
2014207601.tif 000006
【図５】
2014207601.tif 000007
【図６】
2014207601.tif 000008
【図７】
2014207601.tif 000009
【図８】
2014207601.tif 000010
【図９】
2014207601.tif 000011
【図１０】
2014207601.tif 000012
【図１１】
2014207601.tif 000013
【図１２】
2014207601.tif 000014
【図１３】
2014207601.tif 000015
【図１４】
2014207601.tif 000016